(57)【特許請求の範囲】
【請求項１】
箱体状のユニットを、複数台、上下方向に連結自在に接続するために、上下に連結されるユニットの上下端部間に渡着され、嵌脱自在に構成されたユニット連結機構において、
下ユニットの上端部に設けられ、横方向に延設する係止ロッドを有する連結ピンと、
上ユニットの下端部に設けられ、横方向軸を中心に回動可能に構成されたフック部と、このフック部に連結されて構成され、上方向への回動によって、前記フック部が接近した前記係止ロッドを捕捉するように構成された把持部と、上方向に回動した前記把持部をロックするとともに、下方への押し下げ操作により前記把持部を解放するように構成されたストッパ部とからなる係止手段と
を備えたことを特徴とするユニット連結機構。
【請求項２】
表示素子を多数配列した複数台のユニットを、下方ユニットの上端部に設けた連結ピンと、これを把持自在に上方ユニットの下端部に設けられた係止手段とにより、上下に連結可能に構成された映像表示装置において、
下ユニットの上端部に設けられ、横方向に延設する係止ロッドを有する前記連結ピンと、
上ユニットの下端部に設けられ、横方向軸を中心に回動可能に構成されたフック部と、このフック部に連結されて構成され、上方向への回動によって、前記フック部が接近した前記係止ロッドを捕捉するように構成された把持部と、上方向に回動した前記把持部をロックするとともに、下方への押し下げ操作により前記把持部を解放するように構成されたストッパ部とからなる係止手段と
を具備することを特徴とする映像表示装置。
【請求項３】
前記フック部は、前記上ユニットの内側から回動して前記係止ロッドを捕捉するように構成されたことを特徴とする請求項１記載のユニット連結機構、または請求項２記載の映像表示装置。
【請求項４】
前記把持部は、前記上ユニットの本体部と摺動しつつ回動するように構成されたことを特徴とする請求項１記載のユニット連結機構、または請求項２記載の映像表示装置。
【請求項５】
前記上ユニットの下端部に設けられたフック部の高さ位置を調整可能な調整部を組み込み構成されたことを特徴とする請求項１記載のユニット連結機構、または請求項２記載の映像表示装置。
【請求項６】
前記調整部は、回転軸が鉛直方向に固定された送りねじ機構で構成されたことを特徴とする請求項５記載のユニット連結機構、または請求項５記載の映像表示装置。
【発明の詳細な説明】
【０００１】
【発明の属する技術分野】
本発明は、表示パネルを備えたユニットを、少なくとも上下（縦）方向に複数台連結することにより映像を拡大表示する映像表示装置、及びその映像表示装置等を構成するユニットの連結に好適なユニット連結機構の改良に関する。
【０００２】
【従来の技術】
しばしば目にするように、屋内外の競技場や各種イベント会場、あるいは繁華街等に面した建物の外壁面（ビルボード）等には、表示パネルにＬＥＤ（発光ダイオード）等の表示素子をマトリクス状に多数配置して構成された大型画面（スクリーン）の映像表示装置が据え付けられている。これら映像表示装置は、広告や案内のための表示、あるいはテレビジョン映像の写し出し等が行われ、Ｒ（赤）Ｇ（緑）Ｂ（青）の点灯制御により、いわゆるフルカラー表示が可能に構成されている。
【０００３】
このような大型画面の映像表示装置は、通常、予め複数個の表示パネルを組み込んだ偏平な箱体状のユニットが、多数台、上下（縦）方向及び左右（横）に連結接続して組み立てられており、ビル等の建造物に据え付けられて、その場で長期にわたり固定的に使用されることもあれば、大型車両の荷台等に搭載されて、可搬式に使用されることもある。
【０００４】
いずれにしてもこの種の映像表示装置は、多数台のユニットが上下左右に連結されて構成されるので、バラバラなユニット単位で設置現場まで搬送され、そこで組み立て使用され、使用後の映像表示装置は再び各ユニット単位にバラバラに解体分解され、次のイベント会場等に向けた搬送が行われることが多い。
【０００５】
図１３及び図１４は、従来の映像表示装置を構成したユニット１の外観を示したもので、図１３はそのユニット１の一部分解斜視図、また図１４は背面側から見たユニットの斜視図である。
【０００６】
すなわち、ユニット１は、複数個（図１３及び図１４では６個）の表示パネル１１を嵌め込んだ前パネル１２が、複数本の支柱１３を介して後パネル１４に連結固定されて構成され、各表示パネル１１には、ＬＥＤ等の表示素子１１ａがマトリクス状に規則性を有して多数配置されている。なお、中間に位置して取り付けられた左右の支柱１３間には、補強も兼ねた補助支柱１３ａが差し渡されて固定されている。
【０００７】
また、最下段の支柱１３及び前パネル１２と後パネル１４との間には、下に連結される他のユニット１との連結用をも兼ねた脚部材１５が嵌め込み固定されている。
【０００８】
図１４にも示すように、後パネル１４は、枠体１４１とその枠体１４１に設けられた開閉扉１４２とで構成され、開閉扉１４２の内側には、表示素子１１ａを駆動制御する制御部１６等が取り付けられている。
【０００９】
支柱１３の構造は、図１５の断面図に示すように、横断面の四隅に空洞部１３１が設けられた角筒状体で構成されている。なお、図１５では、支柱１３が脚部材１５と連結された状態を示したものである。
【００１０】
また、図１３及び図１４に示すように、支柱１３や補助支柱１３ａ、並びに脚部材１５には、上下左右に連結される相手側ユニット１との接続用に、連結具２が取り付け固定されている。
【００１１】
なお、連結具２は、可動部２１と係止部２２とが対をなした構成からなり、上下左右に隣接する相手側ユニット１との間を連結自在とする、いわゆるユニット連結機構を形成したものであるから、図１３及び図１４に示したように、連結されるユニットの一方には、可動部２１または係止部２２のいずれか一方が取り付けられ、相手側との間で嵌脱自在に構成されている。
【００１２】
図１６は、いわゆる捻り動作機構を採用した連結具２により、上下ユニット１，１を連結した状態を示した要部の拡大右側面図で、下ユニット１の支柱１３には可動部２１が、上ユニット１の脚部材１５には係止部２２が取り付けられ、両者間の嵌めこみ操作により、上下ユニット１，１が連結された状態を示している。
【００１３】
連結具２は、図１６のＡ−Ａ矢視正面図を示した図１７を参照して、連結具２における嵌脱操作を説明すると、図１７（ａ）に示すように、連結具２は、開閉可能な可動部２１の把手２１１を矢印Ｒ方向へ回動することにより、掛け部２１２が矢印Ｙ方向に出入りするように構成されている。
【００１４】
そこで、図１７（ｂ）に示すように、閉じた状態の可動部２１の把手２１１を矢印Ｒ方向へ回動させることにより、掛け部２１２は矢印Ｙ１方向に降下し、上方のユニット１側の環状の係止部２２を捕捉し引き寄せるので、上下ユニット１，１は連結固定される。
【００１５】
なお、可動部２１の把手２１１は、掛け部２１２が係止部２２を引き寄せた状態で折り畳むことができるので、図１６に示したように、ロック状態とすることができる。なお、連結具２における上記嵌操作と逆の脱操作は、上記とは逆の手順で行われる。
【００１６】
上記は、上下ユニット１，１間の連結の例を説明したものであるが、図１３及び図１４に示したように、左右ユニット１，１間の連結具２も同様に構成され、映像表示装置は、図１８にその一部正面図を示したように、多数台のユニット１が左右及び上下方向に連結接続されて組み立てられる。
【００１７】
もっとも、複数台のユニット１を上下左右に連結するのに、上記構成のように、隣接するユニット１，１間に差し渡すように渡着された連結具２における嵌脱操作によることなく、たとえば、各支柱１３にボルトを貫通させるための穴を単に設け、各ユニット１の支柱１３の穴にボルトを通し、ナット締めにより連結固定することも行われる。
【００１８】
【発明が解決しようとする課題】
上記のように従来の映像表示装置においては、ユニット間を連結する連結機構として、連結具が、隣接するユニットの各支柱や補助支柱、あるいは脚部材との間に渡着するように取り付けられたり、あるいは隣接するユニットの支柱同士をボルト締めにより固定したりする構成が採用されている。
【００１９】
しかしながら、上記従来のユニット連結機構においては、ユニット間の連結、あるいは連結解除は、作業員が逐一、後パネルの扉を開き、ユニット内部の狭い空間に手を差し込んで連結具を操作しなければならないので、作業がやりにくく、映像表示装置の組み立て及び解体作業に多くの手間を要したので改善が要望されていた。
【００２０】
特に、ＬＥＤを搭載した高精細画像を表示する映像表示装置では、３０ｋｇをも超える重量のユニットを連結して構成されることが多いので、組み立て及び解体を繰り返しつつ各地のイベント事業等での使用に供することが多い状況のもとで、作業員がいかに安全に、また効率良くユニットの連結及び解放を行うことができるかが課題とされていた。
【００２１】
そこで、本発明は、特に上下方向のユニット間の連結固定を、容易且つ的確に行うことができるユニット連結機構、及びそのユニット連結機構を採用して、組み立て解体を行う作業員の安全を確保するとともに、コンパクトな構成を実現し得る映像表示装置を提供することを目的とする。
【００２２】
【課題を解決するための手段】
上記従来の課題を解決するために、第１の発明は、箱体状のユニットを、複数台、上下方向に連結自在に接続するために、上下に連結されるユニットの上下端部間に渡着され、嵌脱自在に構成されたユニット連結機構において、下ユニットの上端部に設けられ、横方向に延設する係止ロッドを有する連結ピンと、上ユニットの下端部に設けられ、横方向軸を中心に回動可能に構成されたフック部と、このフック部に連結されて構成され、上方向への回動によって、前記フック部が接近した前記係止ロッドを捕捉するように構成された把持部と、上方向に回動した前記把持部をロックするとともに、下方への押し下げ操作により前記把持部を解放するように構成されたストッパ部とからなる係止手段とを備えたことを特徴とする。
【００２３】
また、第２の発明は、表示素子を多数配列した複数台のユニットを、下方ユニットの上端部に設けた連結ピンと、これを把持自在に上方ユニットの下端部に設けられた係止手段とにより、上下に連結可能に構成された映像表示装置において、下ユニットの上端部に設けられ、横方向に延設する係止ロッドを有する前記連結ピンと、上ユニットの下端部に設けられ、横方向軸を中心に回動可能に構成されたフック部と、このフック部に連結されて構成され、上方向への回動によって、前記フック部が接近した前記係止ロッドを捕捉するように構成された把持部と、上方向に回動した前記把持部をロックするとともに、下方への押し下げ操作により前記把持部を解放するように構成されたストッパ部とからなる係止手段とを具備することを特徴とする。
【００２４】
このように、第１の発明のユニット連結機構、及び第２の発明の映像表示装置によれば、ストッパ部は、把持部を上方向に回動した状態でロックして、下方への押し下げ操作により解放するように構成されたので、ユニット連結時に把持部はコンパクトに収納されるとともに、作業員は簡単な操作により、安全かつ適切にユニットの連結及び連結解除を行うことができる。
【００２５】
【発明の実施の形態】
以下、本発明によるユニット連結機構、及びそのユニット連結機構を採用した映像表示装置の一実施の形態を、図１ないし図１２を参照して詳述する。なお、図１３ないし図１８に示した従来の構成と同一構成には同一符号を付して、詳細な説明は省略する。
【００２６】
図１は本発明の映像表示装置を構成するユニットの一実施の形態を示した斜視図で、図２はそのユニットを背後側から見た斜視図である。
【００２７】
すなわち、本発明による映像表示装置の一実施の形態におけるユニットは、図１に示すように、偏平な箱体状の筐体１７の前面に、多数のＬＥＤ等の表示素子１１ａを配置した複数個（この実施の形態では１２個）の表示パネル１１が組み込まれるとともに、図２に示すように、筐体１７の背面には、両観音開きの開閉扉１７１，１７２が取り付けられ、その内側面には表示素子１１ａを駆動制御する制御部１６が取り付け固定されている。なお、１７ａ符号は、各開閉扉１７１，１７２に設けられたロック機構付きの扉開閉用の把手を示している。
【００２８】
筐体１７の上部上面の中央には連結ピン３が、また同じく上面の左右の両端部には対をなすようにガイドピン１７３，１７３が植立されている。
【００２９】
連結ピン３は、棒状の係止ロッド３ａを横方向に貫通固定してＴ字状に形成されていて、上に積み重ねられる相手側ユニット１の係止手段４との組み合わせにより、ユニット１，１を上下間に連結可能に構成されている。なお、一対のガイドピン１７３，１７３は、上下方向に連結接続される相手方ユニット１との間の位置合わせ用に設けられたものである。
【００３０】
連結ピン３と左右のガイドピン１７３，１７３との間には、作業員が、３０ｋｇをも超えるかという重いユニット１を持ち運ぶための把手１７４，１７４が取り付けられている。この把手１７４，１７４は、ユニット１をクレーン等により吊り上げ搬送するためのロープ掛け用にも使用され、また、筐体１７の左右両側面にも、作業員が持ち運び用に便利なように、取っ手（凹部）１７５も設けられている。
【００３１】
上記構成のユニット１は、上下（縦）方向及び左右（横）方向に連結され、図３（ａ）の正面図に示したように大型表示画面を形成する。
【００３２】
ユニット１が上下方向に適正に連結され、ごく小さな目地の表示画面を形成するために、上方に積み重ねられるユニット１の下部には、下方のユニット１の連結ピン３、ガイドピン１７３，１７３及び把手１７４，１７４を受け入れ収納するための凹部が形成されている。なお図３（ｂ）は、図３（ａ）に示した映像表示装置の平面図である。
【００３３】
なお、映像表示装置の組み立て解体に際して、その組み立て解体作業の効率上から、上下方向に予め複数台連結されたユニット１を、クレーン等が一度に吊り上げ搬送する場合がある。そのためにも、ユニット１の上下方向の連結手段となる連結ピン３と、これを捕捉する相手側係止手段４とは、強固に連結固定され、また連結が不用意に解除されないようにロック機構が採用される。
【００３４】
図４は、上下のユニット１，１の連結状態において、下方の連結ピン３が、上方の係止手段４に捕捉されてロック状態にあるユニット連結機構を示した斜視図で、図５はその分解斜視図を示したものである。
【００３５】
すなわち、図４及び図５に示すように、上ユニット側の係止手段４は、ユニット１の筐体１７に固定された本体部４１と、この本体部４１の操作孔４１ａに遊挿された固定ピン４２を介して連結され、フック部を形成したフック４３と、このフック４３に連結され把持部を構成したハンドル４４と、連結時にハンドル４４を捕捉してロックし、また必要に応じてそのロックを解除可能なストッパ４５とから構成されている。
【００３６】
また、固定ピン４２は、その固定ピン４２の高さ位置を調整可能に取り付けられた調整部４６に連結固定され、その調整部４６は本体部４１に取り付けられている。すなわち、固定ピン４２は、調整部４６の孔４６ａに嵌合されつつ、上下方向に長径な操作孔４１ａ内を上下動可能に構成されている。
【００３７】
なお、ハンドル４４とフック４３とは、ハンドル４４の保持孔４４ａに嵌め込まれた固定ピン４２が、フック４３に設けた長孔を湾曲させた形状のガイド孔４３ａに遊装されて連結されるとともに、ハンドル４４に設けられたピン４４ｂがフック４３の孔４３ｂに回動自在に嵌め込まれて連結されている。
【００３８】
係止手段４における連結動作を、次の３段階、すなわち（イ）下ユニット１の連結ピン３の受け入れ動作、（ロ）連結ピン３の捕捉動作、（ハ）捕捉した連結ピン３の固定動作に分けることができる。係止手段４における連結した上下ユニット１，１間の連結解除動作は、反対に、（Ａ）連結ピン３固定の解除動作、（Ｂ）連結ピン３捕捉の解除動作、（Ｃ）連結ピン３の離脱開放動作の手順となる。
【００３９】
なお、調整部４６による固定ピン４２の高さ位置の調整により、後述するように、上下ユニット１，１を連結した状態での上下ユニット１，１間の微妙な間隔を調整することができる。つまり、上下ユニット１に上ユニットを載置した状態で、作業員がハンドル４４を操作して円滑に連結できると同時に、連結したときに上下ユニット１，１間に適正なつなぎ目、すなわち表示画面において良好な目地が得られるように、固定ピン４２の高さ位置の調整が行われる。
【００４０】
そこで、図４及び図５に示した係止手段４における上記（イ）（ロ）（ハ）の動作説明を、図４及び図５に加えて図６及び図７の動作説明図を参照して以下詳細説明する。
【００４１】
上述のように、本体部４１の操作孔４１ａには固定ピン４２が上下方向に移動調整可能に嵌め込まれるとともに、フック４３には固定ピン４２を案内するガイド孔４３ａが設けられている。そして、ハンドル４４のピン４４ｂがフック４３の孔４３ｂに嵌め込み構成されている。
【００４２】
従って、固定ピン４２の軸を中心としたハンドル４４の回動操作により、フック４３は回動し、係止ロッド３ａの受け入れ、係止ロッド３ａの捕捉、係止ロッド３ａの把持固定を行うことができる。
【００４３】
すなわち、図６（ａ）（ｂ）（ｃ）は、順次上記（イ）（ロ）（ハ）に対応する説明図である。
【００４４】
作業員はまず、ハンドル４４の把手部４４ｃを保持し、図６（ａ）に示すように、持ち矢印Ｒ１方向に操作することにより、（イ）フック４３が下方に開き、下ユニット１の係止ロッド３ａを受け入れる。
【００４５】
なお、図５に示すように、フック４３と本体部４１との間には、ばね４３ｃが装架されていて、この図６（ａ）に示した状態においても、常に、フック４３を矢印Ｒ１とは反対方向（反時計方向に）回転させようとする力が作用している。しかしながら同時にまた、ハンドル４４と本体部４１との間には、図４及び図５に示すように、固定ピン４２を挟んで引っ張りばね４４ｄが装架されている。さらに、ハンドル４４が本体部４１と対向しつつ回動する面には、突起４４ｅが設けられていて、ハンドル４４の回動に伴い、突起４４ｅが本体部４１の面を摺動しつつ、図６（ａ）に示した位置状態において、突起４４ｅは本体部４１の摺動面に設けた第１の凹部４１ｂに嵌まるので、ハンドル４４はここで安定するように構成されている。従ってまた、作業員が一連の操作途中で、ハンドル４４を一時的に手放したとしても、摺動抵抗により、ハンドル４４自体が勝手に回動することはなく、より安全な連結及び連結解除操作が保証される。
【００４６】
このように、この図６（ａ）に示した状態において、フック４３位置は安定し、連結ピン３の横方向に延設した係止ロッド３ａを支障なく受け入れることができる。
【００４７】
次に、作業員は図６（ｂ）に示したように、ハンドル４４の把手部４４ｃを持ち、ばね４４ｄに抗して矢印Ｒ２方向に約２０度回動させた状態では、ハンドル４４の突起４４ｅが本体部４１の第２の凹部４１ｃに嵌って安定する。
【００４８】
この状態では、図６（ｂ）に示したように、フック４３に係止ロッド３ａが接触して安定する。従って、この状態において、イレギュラーな外力が加わっても、ハンドル４４は図６（ｂ）の位置に保持される。
【００４９】
なお、次に説明するように、フック４３が下ユニット１を保持した図６（ｃ）の状態では、固定ピン４２がガイド孔４３ａの右方先端部に係止し、フック４３を矢印Ｒ２方向に回動するように作用するので、フック４３から係止ロッド３ａが外れることはない。また、フック４３はユニットの内側から回動して係止ロッド３ａを捕捉するので、ユニット背後に立つ作業員の視認性が良く、操作状態の安全確認に好都合である。
【００５０】
次に、作業員がハンドル４４を操作し、図６（ｂ）の状態から、図６（ｃ）に示したように、さらに矢印Ｒ３方向に約９５度となるように回動させたとき、ハンドル４４のロック部４４ｆは、ストッパ４５のテーパ部４５ａの傾斜に沿い挿入され、嵌合部４５ｂに嵌り込みロックされる。
【００５１】
すなわち、ストッパ４５は、図４及び図５に示すように、回転軸４５ｃを介して回動可能に本体部４１に取り付けられるとともに、本体部４１との間に装架されたばね４５ｄにより、図６（ｃ）に示す矢印Ｒ４方向と反対方向に付勢されている。
【００５２】
ストッパ部を形成したストッパ４５は、ハンドル４４のロック及びロック状態からの解放操作を行うもので、ばね４５ｄに抗しつつハンドル４４のロック部４４ｆを捕捉しロックした状態では、図６（ｃ）に示すように、固定ピン４２はガイド孔４３ａの右端に位置し、ピン４４ｂの位置は鉛直方向からさらに反時計方向に約５度の傾きを有して停止する。
【００５３】
すなわち、図６（ｃ）の状態では、ストッパ４５はハンドル４４をロックするのに加えて、ばね４３ｃ，４４ｄ並びに、吊り下げた下ユニット１の重量自体がフック４３を矢印Ｒ３の方向に回動させようとするので、ロック状態は確実に安定する。
【００５４】
このように、この実施の形態におけるユニット連結機構、及び映像表示装置では、作業員による簡単なハンドル４４操作により、上記（イ）下ユニット１の連結ピン３の受け入れ動作、（ロ）連結ピン３の捕捉動作、及び（ハ）捕捉した連結ピン３の固定動作という、一連の連結固定動作を円滑かつ適切に得ることができる。
【００５５】
次に、連結された上下ユニット１，１を解除する手順は、上記説明の手順とは反対となる。
【００５６】
すなわち、作業員はまずストッパ４５の把手４５ｅを持ち、図６（ｃ）に示す矢印Ｒ４の方向に向け、ストッパ４５をばね４５ｄに抗して引き下げる。
【００５７】
これにより、ハンドル４４のロック部４４ｆは、ストッパ４５の嵌合部４５ｂの縁に沿いつつ上方に移動して、嵌合部４５ｂから脱出するので、続いて作業員は、ハンドル４４の把手部４４ｃを持ち、ばね４３ｃ及びばね４４ｄの引っ張り力に抗しつつ、矢印Ｒ３とは反対方向（時計の回転方向）に回動させて、図６（ｂ）を経由し、図６（ａ）に示した位置状態に戻す。
【００５８】
通常、ユニット１を吊った状態での連結あるいは連結解除作業は行わないが、図６（ｂ）から図６（ｃ）の間のハンドル４４及びフック４３の位置関係にある状態においては、下ユニット１が落下しようとしても、図７に示した状態で安定し、係止ロッド３ａがフック４３から外れることはない。
【００５９】
つまり、ハンドル４４のロック部４４ｆが上部ストッパ４５に保持されている状態において、作業員の誤った操作等により、ロック部４４ｆがストッパ４５から外れ、なおかつ、ハンドル４４は図６（ｃ）の矢印Ｒ３とは反対方向（時計の回転方向）に回転させてしまったとしても、下ユニット１の落下は回避され、作業員の安全やユニットの損傷を防ぐことができる。
【００６０】
従って、作業員は、図７に示された状態で、下ユニット１が地上等に確実に据え置かれた状態を確認できた後にはじめて、更なる下方への引き下げ操作により、図６（ａ）に示した状態に到達させて、上下ユニット１，１間の連結を確実かつ安全に解除することができる。
【００６１】
なお、上記説明で、係止ロッド３ａは全体が棒状であるように説明したが、例えば全体がリング状あるいは逆Ｕ字状に形成され、フックがその一部棒状をなした部分を係止するように構成されたものでも良い。
【００６２】
このように、本実施の形態によれば、作業員は一連の順次連続した操作により、上下ユニット１，１間の連結解除を安全かつ確実に行うことができる。
【００６３】
次に、上記ユニット連結機構に付与された調整部４６について説明する。
【００６４】
前述のように、映像表示装置において高品質な画像表示を得るためには、上下ユニット間では、適正な隙間、すなわち目地が小さいことが要求される。一方、上下ユニット１，１の連結の際の、フック４３と係止ロッド３ａとの間の距離、すなわちいわゆる連結ストローク長は、ハンドル４４操作により上下ユニット１，１の連結を可能とする距離間隔が必要である。
【００６５】
そこで、調整部４６は、いわゆる送りねじ機構を採用して、ハンドル４４操作により連結ができると同時に、連結後に得られる目地が適切となるように、貫通孔４６ａに固定された固定ピン４２の高さ位置を制御し得るように構成されたものである。
【００６６】
すなわち、図４及び図５に示したように、調整部４６は、本体部４１に対し鉛直方向に取り付け固定されていて、作業員による、つまみ４６ｂの回転操作によって、固定ピン４２は操作孔４１ａ内を上下方向に移動してその高さ位置を変化させることができる。従って、作業員は上下に積み重ねられる各ユニット１の製造上の機械的寸法誤差等に対応して、個々に固定ピン４２の高さ位置を制御することにより、円滑な連結操作とともに、適正な目地のもとで高品質な表示画像を得ることができる。なお、図４及び図５において、符号４６ｃは、つまみ４６ｃ半固定用のスプリングを示している。
【００６７】
以上説明のように、この実施の形態によれば、ストッパ４５が上方に設けられ、上下のユニット連結において、ハンドル４４が上方に弧を描くように回動した後、上方に折り畳まれた状態でハンドル４４がロックされるように構成されたので、全体が奥行き方向にコンパクトになり、ユニットの省スペース化を実現することができる。
【００６８】
また、調整部４６において、つまみ部４６ｂの回転軸が鉛直方向になるように構成したので、作業員はユニット１の背後側から手を入れての調整作業がやりやすくなり、作業性の改善が図られ、映像表示装置の組み立てを効率良く行うことができる。
【００６９】
上記説明は、ユニット連結機構による上下ユニットの連結操作を説明したものであるが、この連結操作は、上ユニット１が、下方ユニット１のガイドピン１７３，１７３に案内されつつ位置合わせが行われて載置された後、実施される。
【００７０】
そこで、この実施の形態のガイドピン１７３の形状は、全体が横断面が円形状をなし、図８（ａ）に拡大して示したように、先端部に向けて、テーパ状の段部１７３ａを経て径小の挿入部１７３ｂが形成されるように構成されている。
【００７１】
従って、図８（ａ）に示したように、上方のユニット１が傾きつつ下方のユニット１上に載置されるとき、たとえ下方のガイドピン１７３の向きと、これに対応する相手側（上）ユニット１の係合孔１７６の向きとの間に多少のずれが生じていたとしても、上ユニット１の係合孔１７６は、径小な挿入部１７３ｂに容易に嵌め込むことができる。
【００７２】
また、一旦嵌め込まれた上ユニット１の係合孔１７６の下端開口部は、下ユニット１のテーパ状の段部１７３ａ面に接して、その傾斜面に沿い滑らかに下降することができるので、上ユニット１の姿勢は補正されつつ、係合孔１７６はガイドピン１７３に案内された円滑に嵌め込まれる。
【００７３】
このように、この実施の形態におけるガイドピン１７３は、テーパ状の段部１７３ａ及び径の小さな挿入部１７３ｂを有するものであるが、これに対し、図８（ｂ）に示したように、テーパ状の段部もまたこれにつながる径小な挿入部も有しないガイドピン１７３Ａの場合は、上ユニット１側のガイドピン１７３Ａに係合する係合孔１７６の下端が、ガイドピン１７３Ａの頭部に衝突した状態で留まってしまい、係合孔１７６下端開口部あるいはガイドピン１７３Ａを損傷させる恐れが生ずる。
【００７４】
次に、この実施の形態において、ユニット１を左右（横）方向に連結する側のユニット連結機構の構成及び作用を説明する。
【００７５】
隣接する左右のユニット１，１の対向側面間に取り付けられたユニット連結機構の要部を、図９に抽出して示したように、左右の隣接するユニット１の各対向する側面間には、上下方向に２組の連結具５，５がそれぞれ嵌脱自在に渡着されて構成され、かつ各連結具５，５は、上下方向及び奥行き方向にそれぞれ、間隔Ｄ，ｄをそれぞれ有して取り付けられている。
【００７６】
図１０は図９のＡ−Ａ矢視側面図で、説明上、一方のユニット１の側面側に取り付けられた２組の連結具５，５を構成するフック部５１及び係止部５２を示したものである。
【００７７】
すなわち、図１０にも示すように、連結ピン３の植立位置は、上下に連結されるユニット１，１が、いずれも据え付けられた姿勢位置で安定した積み重ね及び吊り下げ支持が行われるように、各ユニット１，１のほぼ重心位置を結ぶ鉛直線上に取り付けられていて、２組の連結具５，５の取り付け位置は、その重心位置を通る線を間に挟んで、それぞれ前後（奥行き）方向に等間隔（ｄ／２）をなして設けられている。
【００７８】
また、図１１は、連結された左右ユニット１，１における連結機構の背面を示したものであり、各連結具５，５は、フック継手を形成するように構成され、図１３ないし図１８に示した従来の連結具２と同様に、可動部を形成したフック部５１とこのフック部５１を係止する係止部５２とで構成されている。そして、それぞれ各ユニット１，１の対向側面間に渡着され、いずれも筐体１７内に収納されるように組み込まれている。
【００７９】
フック部５１は、図９ないし図１１に示すように、回動軸５１ａを中心に回動自在に筐体１７内に取り付けられ、図１１に示すように、その回動軸５１ａの背面側の端面には、六角穴５１ｂが形成され、その六角穴５１ｂは、筐体１７に設けられた開口孔１７７を介してユニット１の背面側に露出している。
【００８０】
従って、作業員は図１０に示すように、六角レンチ６を開口孔１７７内に挿入して、回動軸５１ａの六角穴５１ｂに嵌め込み操作することによって、フック部５１を相手側ユニット１の対応する係止部５２への嵌合と、その嵌合からの解放、すなわち嵌脱操作を行うことができる。
【００８１】
このように、連結具５，５の操作点であるフック部５１の回動軸５１ａの端面が、ユニット背面側に向け露出するように構成したので、作業員は容易かつ確実に左右のユニット１，１の連結、及び連結の解除操作を行うことができる。
【００８２】
また、この実施の形態によれば、２組の連結具５，５からなる連結機構は、
前述のように奥行き方向に互いに間隔ｄを有して設けられたので、上下方向を軸とした回転方向のずれに対する安定化が図られ、組み立てられた映像表示装置が振動や風圧等により歪んだり、傾いたりするのを抑制することができる。
【００８３】
またこの実施の形態では、２組の連結具における各フック部５１，５１は、図１１に矢印Ｒ１，Ｒ２で示すように、互いに反対方向に回動して嵌脱するように設けられたので、隣接するユニット１，１が互いに外れる方向に何らかの外力が作用したとしても、それを阻止するように作用するので安定した映像表示装置を提供できる。
【００８４】
なお、上記説明において、この実施の形態では、作業員は、六角穴に六角レンチを嵌め込んで、連結具５，５を操作するように説明したが、要するに何らかの手段により連結具５，５を操作できれば良いので、例えばプラスドライバやマイナスドライバで嵌脱できるように、回動軸５１ａを構成することができる。
【００８５】
いずれにしても、この実施の形態によれば、２組の連結具５，５は、蝶着されたフック部５１と、回動したフック部５１の先端部を係止する係止部５２との組み合わせ構成からなり、かつフック部５１の回動軸５１ａの端面がユニット１，１の背面側に露出しているので、作業員は左右方向のユニット１，１の連結作業及び連結解除作業を簡単に行うことができる。
【００８６】
図１２は、本発明による映像表示装置の他の実施の形態を説明するものであり、図１ないし図１１に示した実施の形態との相違点は、２組の連結具５，５の組み合わせが、隣接するユニット１，１間で異なるものである。
【００８７】
すなわち、他の実施の形態では、図１１に対応して示した図１２の背面図に示すように、隣接するユニット１，１間に渡着された各連結具５，５は、いずれも同一ユニット１側にそれぞれフック部５１及び係止部５２を取り付け構成したものである。この構成によっても、図１ないし図１１により示した実施の形態の映像表示時装置と同様な効果を得ることができる。
【００８８】
いずれにしても、本発明によるユニット連結機構、及びそのユニット連結機構を使用した映像表示装置によれば、上下ユニットの連結操作を、作業員はハンドルである把持部の上方向への連続的な回動操作により、容易且つ適切に実施することができると同時に、連結解除の動作も、ストッパ部の下方への回動操作によるロック解除を経て、円滑かつ的確に行うことができる。
【００８９】
加えて、本発明によれば、ユニット連結機構の構成を上方向に回動した把持部をロック部が保持するように構成したので、奥行き方向をコンパクトに構成することができ、把持部がユニット外にはみ出すのを抑制してユニットの省スペース化を実現することができる。
【００９０】
【発明の効果】
本発明のユニット連結機構及び映像表示装置によれば、作業員が円滑かつ適正に上下ユニットの連結及び連結解除を行うことが可能であり、またコンパクトな構成を実現し得るものであり、実用に際し得られる効果大である。
【図面の簡単な説明】
【図１】本発明による映像表示装置の一実施の形態を構成したユニットの斜視図である。
【図２】図１に示すユニットを背面側から見た斜視図である。
【図３】図３（ａ）は、図１に示したユニット連結機構によりユニットの連結による映像表示装置の一部正面図、図３（ｂ）は、図３（ａ）の平面図である。
【図４】図１に示した上下ユニットを連結するユニット連結機構の拡大斜視図である。
【図５】図４に示したユニット連結機構の分解斜視図である。
【図６】図４に示したユニット連結機構の動作説明図である。
【図７】図６に続き、ユニット連結機構の動作を説明する図で、下ユニットが吊り下がった状態の動作説明図である。
【図８】図１に示したガイドピンと、このガイドピンを案内する係合孔との位置関係を説明した説明図である。
【図９】図１及び図２に示した左右ユニットを連結するユニット連結機構を示す斜視図である。
【図１０】図９のＡ−Ａ線矢視側面図である。
【図１１】図９に示した構成のユニットが左右に連結された状態を示す背面図である。
【図１２】本発明による映像表示装置の、他の実施の形態におけるユニットの左右連結状態を示した背面図である。
【図１３】従来の映像表示装置を構成したユニットの斜視図である。
【図１４】図１３に示したユニットの背面側から見た斜視図である。
【図１５】図１３に示した支柱と脚部材との連結状態を示す横断面図である。
【図１６】図１３に示した連結具による上下ユニットの連結状態を示す要部側面図である。
【図１７】図１６に示した連結具の動作説明図である。
【図１８】図１３に示したユニットにより連結構成されてなる映像表示装置の正面図である。
【符号の説明】
１  ユニット
１１  表示パネル
１１ａ  ＬＥＤ（発光ダイオード）
１７  筐体
１７３  ガイドピン
１７３ａ  段部
１７３ｂ  挿入部
１７４  把手
１７５  取っ手
１７８  係合孔
３  連結ピン
３ａ  係止ロッド
４  係止手段
４１  本体部
４２  固定ピン
４３  フック（フック部）
４４  ハンドル（把持部）
４５  ストッパ（ストッパ部）
４６  調整部
５  連結具
５１  フック部
５２  係止部
【図１】
0003665041.tif 000002
【図２】
0003665041.tif 000003
【図３】
0003665041.tif 000004
【図４】
0003665041.tif 000005
【図５】
0003665041.tif 000006
【図６】
0003665041.tif 000007
【図７】
0003665041.tif 000008
【図８】
0003665041.tif 000009
【図９】
0003665041.tif 000010
【図１０】
0003665041.tif 000011
【図１１】
0003665041.tif 000012
【図１２】
0003665041.tif 000013
【図１３】
0003665041.tif 000014
【図１４】
0003665041.tif 000015
【図１５】
0003665041.tif 000016
【図１６】
0003665041.tif 000017
【図１７】
0003665041.tif 000018
【図１８】
0003665041.tif 000019